(57)【要約】      （修正有）【課題】識別部において記番号を適切に読み取ることができなかった場合に当該記番号を適切に補正することが可能な紙葉類処理装置を提供すること。【解決手段】紙葉類処理装置１が、記番号が付された紙葉類を収納する収納部２１、２３〜２８と、前記収納部から搬送される紙葉類から記番号を読み取る第１の読取処理を行う識別部１６と、第１の読取処理で読み取られた記番号と一致度合いに関する所定の関係を有する記番号を前記収納部に収納された紙葉類の記番号リストから検索する制御部１８と、を備える。【選択図】図１
2020004034.tif 000002
【特許請求の範囲】
【請求項１】
記番号が付された紙葉類を収納する収納部と、
前記収納部から搬送される前記紙葉類から前記記番号を読み取る第１の読取処理を行う識別部と、
前記第１の読取処理で読み取られた前記記番号と一致度合いに関する所定の関係を有する前記記番号を前記収納部に収納された前記紙葉類の記番号リストから検索する制御部と、
を備える、紙葉類処理装置。
【請求項２】
前記識別部は、前記収納部に搬送される前記紙葉類から前記記番号を読み取る第２の読取処理を行い、
前記制御部は、前記第２の読取処理で読み取られた前記記番号に基づいて前記記番号リストを作成する、
請求項１に記載の紙葉類処理装置。
【請求項３】
前記記番号リストを記憶する記憶部と、
前記収納部が取り付けられる取付部と、をさらに備え、
前記制御部は、前記紙葉類が収納された前記収納部が前記取付部に取り付けられる場合に、外部から受け取る前記記番号リストを前記記憶部に記憶させる、
請求項１に記載の紙葉類処理装置。
【請求項４】
前記所定の関係は、前記第１の読取処理で読み取られた前記記番号が前記記番号リスト中の前記記番号と一致することである、
請求項１〜３の何れか１項に記載の紙葉類処理装置。
【請求項５】
前記所定の関係は、前記第１の読取処理で読み取られた前記記番号と前記記番号リスト中の前記記番号とが所定数以上共通する桁を有していることである、
請求項４に記載の紙葉類処理装置。
【請求項６】
前記所定の関係は、前記第１の読取処理で読み取られた前記記番号と前記記番号リスト中の前記記番号とが所定数以上連続する共通の文字列を有していることである、
請求項４に記載の紙葉類処理装置。
【請求項７】
前記制御部は、前記第１の読取処理で読み取られた前記記番号を、前記第１の読取処理で読み取られた前記記番号と一致度合いに関する前記所定の関係を有する、前記記番号リスト中の前記記番号を用いて補正する、
請求項４〜６の何れか１項に記載の紙葉類処理装置。
【請求項８】
前記制御部は、前記第１の読取処理で読み取られた第１の記番号と一致度合いに関する前記所定の関係を有する記番号が前記記番号リストにない場合、前記第１の読取処理で読み取られた第２の記番号と一致度合いに関する所定の関係を有する前記記番号リスト中の記番号を参照して、前記第１の記番号を、前記記番号リスト中の記番号に対応させる、
請求項４〜７の何れか１項に記載の紙葉類処理装置。
【請求項９】
前記制御部は、前記第１の記番号を、前記第１の記番号に対応する前記記番号リスト中の前記記番号を用いて補正する、
請求項８に記載の紙葉類処理装置。
【請求項１０】
施錠される収納庫をさらに備え、
前記収納部は前記収納庫の内部に配置されている、
請求項１〜９の何れか１項に記載の紙葉類処理装置。
【請求項１１】
前記収納部は、複数の前記紙葉類が回転体に巻き取られた状態で収納される巻き取り式の収納部である、
請求項１〜１０の何れか１項に記載の紙葉類処理装置。
【請求項１２】
収納部から搬送される紙葉類の記番号を読み取るステップと、
読み取られた前記記番号との一致度合いに関する所定の関係を有する前記記番号を前記収納部に収納された前記紙葉類の記番号リストから検索するステップと、
を含む、紙葉類処理方法。
【発明の詳細な説明】
【技術分野】
【０００１】
本発明は、紙葉類処理装置および紙葉類処理方法に関するものである。
【背景技術】
【０００２】
従来、金融機関等において、紙幣を入金または出金する装置として、紙葉類処理装置が用いられている。紙葉類処理装置は、紙幣を識別する識別装置、紙幣を収納する収納装置、紙幣を一時的に保留する一時保留装置などを有しており、紙幣は、識別装置における識別結果に応じて、一時保留装置、収納装置などに搬送される。
【０００３】
特許文献１には、入金処理時に順次、識別装置で紙幣の記番号を読み取るとともに、読み取った順序で記番号を記憶装置に記憶する紙葉類処理装置が記載されている。また、特許文献１に記載された紙葉類処理装置は、出金時にも順次、識別装置で記番号を読み取り、読み取った順序で記番号を記憶装置に記憶している。
【０００４】
しかし、紙幣が損傷している場合、または、紙幣に汚れが付着している場合など、識別装置で記番号を読み取れない場合がある。
【０００５】
従来の紙葉類処理装置では、出金時に記番号の読取不良が起こった場合、読み取れなかった記番号を入金時に読み取られた記番号で補正して出金処理を行っている。従来の紙葉類処理装置では、紙幣が繰り出された順番から当該紙幣が入金された順番を特定し、入金時に読み取られ記番号を特定している。
【先行技術文献】
【特許文献】
【０００６】
【特許文献１】特開２０１２−１４１８６３号公報
【発明の概要】
【発明が解決しようとする課題】
【０００７】
しかし、このような方法で入金時に読み取られた記番号を特定すると、出金時に紙幣が複数枚重なって繰り出されたり、繰り出された紙幣の順序が入れ替わって搬送された場合、記番号の読み取りができなかった紙幣とは異なる紙幣の記番号が特定され、誤った記番号に補正される恐れがあった。
【０００８】
本発明は、識別部において記番号を適切に読み取ることができなかった場合に当該記番号を適切に補正することが可能な紙葉類処理装置を提供することを目的とする。
【課題を解決するための手段】
【０００９】
上記目的を達成するために、本発明の紙葉類処理装置は、記番号が付された紙葉類を収納する収納部と、収納部から搬送される紙葉類から記番号を読み取る第１の読取処理を行う識別部と、第１の読取処理で読み取られた記番号と一致度合いに関する所定の関係を有する記番号を収納部に収納された紙葉類の記番号リストから検索する制御部と、を備える。
【００１０】
また、上記目的を達成するために、本発明の紙葉類処理方法は、収納部から搬送される紙葉類の記番号を読み取るステップと、読み取られた記番号と一致度合いに関する所定の関係を有する記番号を収納部に収納された紙葉類の記番号リストから検索するステップと、を含む。
【発明の効果】
【００１１】
本発明の紙葉類処理装置によれば、識別部において記番号を適切に読み取ることができなかった場合に当該記番号を適切に補正することが可能である。
【図面の簡単な説明】
【００１２】
【図１】実施の形態１に係る紙葉類処理装置の全体構成の一例を示す図
【図２】実施の形態１に係る紙葉類処理装置のダイレクト入金処理を説明する図
【図３】実施の形態１に係る一保入金処理の一例を説明する図
【図４】実施の形態１に係る一保入金処理の一例を説明する図
【図５】実施の形態１に係る出金処理の一例を示す図
【図６】実施の形態１に係る精査処理の一例を示す図
【図７】実施の形態１に係る回収処理の一例を示す図
【図８】記番号の読取不良について説明する図
【図９】実施の形態１に係る出金処理の流れの一例を示すフローチャート
【図１０】実施の形態１に係る検索処理について説明する図
【図１１】実施の形態２に係る収納テーブルについて説明する図
【図１２】実施の形態２に係る出金テーブルの一例について説明する図
【発明を実施するための形態】
【００１３】
以下、本発明の実施の形態について、図面を参照しながら説明する。なお、同じ構成要素には同じ符号を付している。また、図面は、理解しやすくするためにそれぞれの構成要素を模式的に示している。また、本明細書では、図面に示す矢印の方向をそれぞれ、便宜的に、上、下、前、後として説明する。
【００１４】
また、本明細書では、紙葉類の一例として紙幣を用いて紙葉類処理装置の説明を行う。しかし、紙葉類は、紙幣に限定されるものではなく、手形、小切手などの有価証券であってもよい。
【００１５】
（実施の形態１）
図１は、実施の形態１に係る紙葉類処理装置の全体構成の一例を示す図である。紙葉類処理装置１は、紙幣を入出金する紙幣入出金機である。紙葉類処理装置１は、上側筐体１０および下側筐体２０を有する。
【００１６】
上側筐体１０は、上部に、入金される紙幣が載置される入金部１２、および、出金される紙幣が載置される出金部１３を有する。また、上側筐体１０は、内部に、紙幣を搬送する搬送部１５と、紙幣を識別する識別部１６と、紙葉類処理装置１の各部を制御する制御部１８と、紙幣を一時的に保留する一時保留部１９とを有する。また、必要に応じて、第２出金部１４を出金部１３の隣に設けてもよい。第２出金部１４は、出金部１３と同様の構成であってもよいし、異なる構成であってもよい。
【００１７】
入金部１２には、所定の周期で紙幣を１枚ずつ搬送部１５に向けて繰り出す紙幣繰り出し機構（図示略）が配置されている。また、出金部１３には、搬送されてきた紙幣を積み重ねる集積機構（図示略）が配置されている。
【００１８】
搬送部１５は、紙幣を所定の搬送速度で搬送する搬送装置である。搬送部１５は、紙幣を搬送するベルト機構やローラ機構によって構成されている。搬送部１５は、紙幣をループ状に搬送するループ状搬送路１５０と、このループ状搬送路１５０から分岐する第１分岐路１５１、第２分岐路１５２、第３分岐路１５３、第４分岐路１５４および第５分岐路１５５を有する。
【００１９】
第１分岐路１５１〜第５分岐路１５５は、それぞれ、ループ状搬送路１５０と入金部１２、出金部１３、一時保留部１９、後述する第１収納庫２１および第２収納庫３０、ならびに、後述する着脱式収納部４とを接続する。第１分岐路１５１〜第５分岐路１５５とループ状搬送路１５０との接続部分には、紙幣を振り分ける分岐爪（不図示）が配置されている。
【００２０】
識別部１６は、紙幣の情報を読み取り、紙幣の識別を行う識別装置である。識別部１６は、画像センサ、光学センサ、磁気センサなどのセンサを備えており、搬送部１５で搬送される紙幣の真偽、金種、正損、および、記番号などの紙幣情報を識別する。
【００２１】
記番号とは、各紙幣に付された固有の番号であり、例えば、アルファベットと数字との組み合わせの１０桁の文字列で構成される。識別部１６は、記番号を構成する１０桁のそれぞれの文字を識別する。
【００２２】
一時保留部１９は、紙幣を一時的に保留する収納装置である。一時保留部１９は、紙幣を１枚ずつ取り込んで収納し、収納している紙幣を１枚ずつ繰り出すことができる。
【００２３】
一時保留部１９は、例えば、複数の紙幣が回転体に巻き取られた状態で収納される巻き取り式の収納部で構成されている。また一時保留部１９は、複数の紙幣が積層状態で収納される積層式の収納部で構成されていてもよい。
【００２４】
制御部１８は、ＣＰＵなどの処理部とメモリなどの記憶部を有する制御装置である。制御部１８は、搬送部１５を介して、入金部１２、出金部１３、一時保留部１９、後述する第１収納庫２１および第２収納庫３０、ならびに、後述する着脱式収納部４の間で紙幣が搬送されるように、紙葉類処理装置１を構成する各部および着脱式収納部４を制御する。
【００２５】
記憶部は、搬送部１５上を搬送されている紙幣の金種および記番号などの紙幣情報を格納する搬送テーブル、後述する第１収納部〜第６収納部のそれぞれの収納部に収納されている紙幣の紙幣情報を格納する第１収納テーブル〜第６収納テーブル、および、一時保留部１９に保留されている紙幣の紙幣情報を格納する一時保留テーブルを記憶している。第１収納テーブル〜第６収納テーブル、および、一時保留テーブルに記憶される紙幣情報は、入金処理により収納された紙幣の紙幣情報であってもよい。この場合は、入金処理の際に読み取られた紙幣情報が記憶される。また、各テーブルに記憶される紙幣情報は、他の装置により収納された紙幣の紙幣情報や、手作業で収納された紙幣の紙幣情報であってもよい。例えば、紙葉類処理装置１ではない他の装置により紙幣が収納された第１収納部を紙葉類処理装置１に取り付けて使用する場合は、収納された紙幣の紙幣情報は他の装置で作成される。紙葉類処理装置１は、他の装置で作成された紙幣情報を受け取り、第１収納テーブルとして記憶部に記憶する。
【００２６】
また、記憶部は、後述する着脱式収納部に収納されている紙幣の紙幣情報を格納する着脱式収納テーブル、出金された紙幣の紙幣情報を格納する出金テーブルなどのテーブルを記憶している。着脱式収納テーブルに記憶される紙幣情報は、回収処理や精査処理により収納された紙幣の紙幣情報であってもよい。この場合は、回収処理や精査処理の際に読み取られた紙幣情報が記憶される。また、着脱式収納テーブルに記憶される紙幣情報は、他の装置により収納された紙幣の紙幣情報や、手作業で収納された紙幣の紙幣情報であってもよい。例えば、紙葉類処理装置１ではない他の装置により紙幣が収納された着脱式収納部を紙葉類処理装置１に取り付けて使用する場合は、収納された紙幣の紙幣情報は他の装置で作成される。紙葉類処理装置１は、他の装置で作成された紙幣情報を受け取り、着脱式収納テーブルとして記憶部に記憶する。
【００２７】
搬送部１５や各収納部に存在する紙幣の紙幣情報がこれらのテーブルのうちの何れかのテーブルに格納される。すなわち、これらのテーブルに格納された情報を参照することにより、紙幣が存在する位置を特定することができる。また、紙幣情報が記番号である場合は、これらのテーブルは記番号リストに相当する。
【００２８】
下側筐体２０は、第１収納庫２１と、第１収納庫２１の下方に配置される第２収納庫３０とを有する。
【００２９】
第１収納庫２１は、例えば、金庫で構成される。第１収納庫２１の前面側には、施錠可能な収納庫扉２２が配置されている。
【００３０】
第１収納庫２１には、前方から順に、第１収納部２３、第２収納部２４および第２収納部２４の上側に配置されている第３収納部２５、第４収納部２６、第５収納部２７、ならびに、第６収納部２８が配置されている。また、第１収納部２３と、第２収納部２４および第３収納部２５との間には、ループ状搬送路１５０から第２収納庫３０に向かって延びる第４分岐路１５４が配置されている。
【００３１】
第１収納部２３、第３収納部２５〜第６収納部２８には、ループ状搬送路１５０から分岐する第４分岐路１５４が接続されている。また、第２収納部２４には、ループ状搬送路１５０から第２収納庫３０に向かって延びる第４分岐路１５４から分岐する第６分岐路１５６が接続されている。
【００３２】
第１収納部２３〜第６収納部２８は、複数の紙幣が積層状態で収納される積層式の収納部である。また、第１収納部２３〜第６収納部２８は、複数の紙幣が回転体に巻き取られた状態で収納される巻き取り式の収納部であってもよい。第１収納部２３〜第６収納部２８には、それぞれ、識別部１６での識別結果に応じて分類された紙幣が収納される。
【００３３】
第１収納部２３〜第６収納部２８の入口には、紙幣が通過したことを検知するセンサ（不図示）が配置される。センサは、例えば、赤外線などの光を放射する投光部と、投光部からの光を受ける受光部とを有する光学式センサである。なお、センサは、紙幣が各収納部に収納されたことを検知することができるセンサであれば、どのような種類のセンサであってもよい。
【００３４】
第２収納庫３０は、例えば、金庫で構成される。また、第２収納庫３０は、内部に回収部３３を有する。回収部３３は内部に収納領域を有し、この収納領域内には、入金部１２から入金された紙幣や第１収納庫２１内に収納された紙幣のうち、回収されるべき紙幣が収納される。回収部３３は、ループ状搬送路１５０から分岐する第４分岐路１５４に接続されている。
【００３５】
回収されるべき紙幣が回収部３３に収納された後、回収作業者によって回収部３３から紙幣が回収される。もしくは、回収されるべき紙幣が回収部３３に収納された後、回収部３３は回収作業者によって紙葉類処理装置１から取り外され、紙幣とともに回収される。
【００３６】
下側筐体２０は、第１収納庫２１の前面側の外面に、着脱式収納部４を取り付けるための取付部５を有する。なお、第１収納庫２１の外面とは、施錠された収納庫扉２２を解錠することなくアクセスできる第１収納庫２１の外面であり、具体的には、下側筐体２０の外面または収納庫扉２２の外面である。
【００３７】
取付部５は、取付部５に取り付けられた着脱式収納部４を固定する固定具を有する。固定具は、施錠装置を有していてもよい。
【００３８】
取付部５は、制御部１８からの制御信号を着脱式収納部４に供給するための端子（図示略）を有している。また、着脱式収納部４は、取付部５が有する端子に接続される端子（図示略）を有している。
【００３９】
着脱式収納部４が取付部５に取り付けられると、着脱式収納部４の端子と取付部５の端子が直接的または間接的に接続される。また、着脱式収納部４が取付部５に取り付けられると、着脱式収納部４の内部の収納領域は第５分岐路１５５に接続される。
【００４０】
着脱式収納部４は、複数の紙幣が積層状態で収納される積層式の収納部である。また、着脱式収納部４は、複数の紙幣が回転体に巻き取られた状態で収納される巻き取り式の収納部であってもよい。
【００４１】
着脱式収納部４は、内部に紙幣を収納し、外部に紙幣を排出するためのモータなどからなる駆動機構（図示略）を有している。あるいは、着脱式収納部４が駆動機構を有さない場合、紙葉類処理装置１が駆動機構を備え、取付部５に取り付けられた着脱式収納部４に駆動力を伝達する。
【００４２】
なお、着脱式収納部４は、第１収納庫２１の内部に着脱される構成としてもよい。この場合、第１収納庫２１の内部に施錠可能な収納庫扉２２を配置し、収納庫扉２２の外側に着脱式収納部４が取り付けられる取付部５を配置する。また、取付部５の外側には、例えば、施錠装置を有さず、開閉ノブを回動させることにより第１収納庫２１内へのアクセスを可能とする前面扉を配置する。また、収納庫扉２２の内側には、第１収納部２３〜第６収納部２８を配置する。
【００４３】
これにより、第１収納部２３〜第６収納部２８に対しては高いセキュリティーレベルを確保しつつ、取付部５へは容易にアクセスして着脱式収納部４の着脱を行うことができる。なお、前面扉は、施錠装置を有していてもよい。
【００４４】
次に、紙葉類処理装置１において行われる各種処理について説明する。まず、実施の形態１で実行される入金処理について説明する。
【００４５】
入金処理とは、入金部１２から繰り出された紙幣を識別部１６で読み取り、損券、偽券などのリジェクト紙幣以外の紙幣を紙葉類処理装置１内に収納する処理である。識別部１６では、紙幣の真偽、正損、金種および記番号などの紙幣情報を識別する。
【００４６】
実施の形態１に係る紙葉類処理装置１では、ダイレクト入金処理と称される入金処理または一保入金処理と称される入金処理が実行される。
【００４７】
図２は、実施の形態１に係るダイレクト入金処理を説明する図である。ダイレクト入金処理とは、識別部１６において識別された紙幣を、直接、第１収納部２３〜第６収納部２８の何れかの収納部に収納する入金処理である。
【００４８】
紙幣が、第１収納部２３〜第６収納部２８のうちの何れの収納部に収納されるかは、例えば、識別部１６において読み取られた紙幣の金種、記番号などに応じて決定される。なお、図中の点線で描かれた矢印は、入金処理においてリジェクトされるリジェクト紙幣の搬送経路を示している。
【００４９】
ダイレクト入金処理では、紙幣は、搬送部１５から直接、第１収納部２３〜第６収納部２８の何れかの収納部に収納されるため、入金処理を迅速に行うことができる。
【００５０】
また、ダイレクト入金処理では、読み取られた紙幣の記番号が、読み取られた順序で、第１収納部２３〜第６収納部２８のそれぞれに対応して設けられた第１収納テーブル〜第６収納テーブルの何れかの収納テーブルに格納される。これにより、各紙幣がどの収納部にどのような順序で収納されているか特定することができる。
【００５１】
また、識別部１６によって紙幣の金種や記番号が読み取られたときに、紙幣が、第１収納部２３〜第６収納部２８のうちの何れの収納部に収納されるかが決定される。したがって、ダイレクト入金処理の実行中に紙幣詰まりなどの搬送エラーが起こった場合でも、各々の紙幣が収納されるべき収納部を特定し、復旧処理を迅速に行うことができる。
【００５２】
次に、一保入金処理について説明する。図３および図４は、実施の形態１に係る一保入金処理の一例を説明する図である。図３は、入金部１２から繰り出された紙幣が一時保留部１９に収納される様子を示しており、図４は、一時保留部１９から繰り出された紙幣が第１収納部２３〜第６収納部２８の何れかの収納部に収納される様子を示している。なお、図中の点線で描かれた矢印は、入金処理においてリジェクトされるリジェクト紙幣の搬送経路を示している。
【００５３】
一保入金処理とは、識別部１６で識別された紙幣を、一旦、一時保留部１９に収納し、当該紙幣の入金を確定させる操作がなされた後に、当該紙幣を、第１収納部２３〜第６収納部２８の何れかの収納部に収納する入金処理である。
【００５４】
本明細書では、入金部１２から繰り出された紙幣を一時保留部１９に収納する処理を保留処理といい、一時保留部１９から繰り出された紙幣を第１収納部２３〜第６収納部２８の何れかの収納部に収納する処理を収納処理という。つまり、保留処理と収納処理が一保入金処理を構成する。
【００５５】
一保入金処理では、入金を確定させる操作がなされたことを条件として、第１収納部２３〜第６収納部２８の何れかの収納部に紙幣が収納される。そのため、保留処理の実行中に紙幣詰まりなどの搬送エラーが起こった場合、一時保留部１９やループ状搬送路１５０に滞留している紙幣は、入金の未確定の紙幣であると判断される。また、収納処理の実行中に紙幣詰まりなどの搬送エラーが起こった場合、一時保留部１９やループ状搬送路１５０に滞留している紙幣は、入金の確定した紙幣であると判断される。よって、一保入金処理の実行中に搬送エラーなどのエラーが起こった場合でも、復旧処理を迅速に行うことができる。
【００５６】
また、一保入金処理では、読み取られた紙幣の記番号が、読み取られた順序で、一時保留部１９および第１収納部２３〜第６収納部２８のそれぞれに対応して設けられた一時保留テーブルおよび第１収納テーブル〜第６収納テーブルの何れかの収納テーブルに格納される。そのため、各紙幣がどの収納部にどのような順序で収納されているか特定することができる。
【００５７】
次に、出金処理について説明する。図５は、実施の形態１に係る出金処理の一例を示す図である。図５は、第１収納部２３〜第６収納部２８から繰り出された紙幣が識別部１６を経由して出金部１３に搬送される様子を示している。なお、図中の点線で描かれた矢印は、出金処理においてリジェクトされるリジェクト紙幣の搬送経路を示している。
【００５８】
出金処理とは、紙葉類処理装置１内に収納されている紙幣を払い出す処理である。
【００５９】
操作者が図示しない出金操作部を介して紙葉類処理装置１に対して出金の指示を行うと、紙葉類処理装置１は、指定された金種の紙幣を、指定された枚数、第１収納部２３〜第６収納部２８から繰り出す。搬送部１５は、繰り出された紙幣を識別部１６に搬送し、識別部１６はそれらの紙幣を識別する。その後、正常に識別された紙幣は出金部１３に払い出される。
【００６０】
出金処理時に発生するリジェクト紙幣は、一時保留部１９に搬送され、収納される。一時保留部１９に収納された紙幣は、必要に応じて、出金処理の終了後に、回収部３３などに収納される。
【００６１】
次に、精査処理について説明する。図６は、本実施の形態に係る精査処理の一例を示す図である。精査処理とは、第１収納部２３〜第６収納部２８に収納されている紙幣の枚数を数え直す処理である。また、精査処理は、数え直した紙幣の枚数が、収納されているはずの枚数と一致するか確認する処理を含んでもよい。
【００６２】
精査処理では、精査用収納部が使用される。着脱式収納部４と一時保留部１９と第１収納部２３〜第６収納部２８のうちのいずれか１つを精査用収納部とすることができる。本実施の形態では、空の着脱式収納部４を精査用収納部とした場合について説明する。紙葉類処理装置１に空の着脱式収納部４を取り付けた後、操作者が紙葉類処理装置１を操作することによって、精査処理が開始される。
【００６３】
精査対象の第１収納部２３〜第６収納部２８は、その中に収納している紙幣を一枚ずつ繰り出す。搬送部１５は、繰り出された紙幣を識別部１６に搬送する。識別部１６は紙幣の識別を行う。識別部１６は、例えば、紙幣の記番号を読み取り、読み取られた記番号は、着脱式収納テーブルに格納される。
【００６４】
正常に識別された紙幣は、着脱式収納部４へと搬送され、そこに収納される。一方、リジェクト紙幣は、一時保留部１９または回収部３３などに搬送され、そこに収納される。
【００６５】
なお、本明細書では、精査処理において、紙幣が精査対象の収納部から繰り出されてから着脱式収納部４に収納されるまでの過程を一次搬送と呼ぶ。
【００６６】
精査対象の収納部に収納されている全ての紙幣の識別が完了すると、着脱式収納部４に収納されている紙幣が一枚ずつ繰り出され、搬送部１５によって元の収納部、つまり、精査対象の収納部に搬送される。このときに、識別部１６において再度、識別が行われてもよい。再度識別された後に、正常に識別された紙幣は、元の収納部、つまり、精査対象の収納部に収納される。リジェクト紙幣は、回収部３３などに収納される。
【００６７】
なお、本明細書では、精査処理において、紙幣が着脱式収納部４から繰り出されてから元の収納部に収納されるまでの過程を二次搬送と呼ぶ。
【００６８】
次に回収処理について説明する。図７は、本実施の形態に係る回収処理の一例を示す図である。回収処理とは、第１収納部２３〜第６収納部２８に収納されている紙幣を、回収用収納部に収納する処理である。着脱式収納部４または回収部３３の少なくとも一方を回収用収納部とすることができる。本実施の形態では、着脱式収納部４を回収用収納部とした場合について説明する。
【００６９】
紙葉類処理装置１に着脱式収納部４を取り付けた後、紙葉類処理装置１に着脱式収納部４を取り付けた操作者が紙葉類処理装置１を操作することによって、回収処理が開始される。
【００７０】
回収処理が開始されると、回収対象の紙幣を収納している第１収納部２３〜第６収納部２８の何れかの収納部から、所定枚数の紙幣が搬送部１５に順次繰り出される。繰り出された紙幣は識別部１６に搬送され識別される。識別の結果、正常と判定された紙幣は着脱式収納部４に搬送され収納される。識別の結果、リジェクト紙幣と識別された紙幣は、一時保留部１９または回収部３３などに収納されてもよい。
【００７１】
なお、所定枚数の紙幣の回収以外に、各収納部内の全紙幣を回収することも可能である。全紙幣を回収する処理は収納部が空になりさえすればよい処理でもあるので、各収納部から繰り出された紙幣を識別部１６で識別しても識別しなくてもよい。また、識別部１６を経由せず、着脱式収納部４に直接搬送するようにしてもよい。
【００７２】
次に、識別部１６において発生する記番号の読取不良について説明する。図８は、記番号の読取不良について説明する図である。ここでは、出金処理中に発生する記番号の読取不良を例に、記番号の読取不良について説明する。
【００７３】
図８は、紙幣の入金時に読み取られた記番号と、当該紙幣の出金時に読み取られた記番号を示している。ここで、記番号を構成する文字列中の「？」は、識別部１６において正常に読み取られなかった文字を示している。
【００７４】
出金時に読み取られた記番号のうち第１行目の例は、１０桁の文字列で構成される記番号のうち、左から６番目の文字である第６桁目の文字で読取不良が発生したことを示している。第６桁目以外の桁の文字は、入金時に読み取られた記番号と一致している。すなわち、出金時に読み取られた記番号は、入金時に読み取られた記番号に対して、桁ずれを起こしていない。なお、本明細書では、記番号の桁数は、文字列の左から数えるものとする。
【００７５】
出金時に読み取られた記番号のうち第２行目の例は、１０桁の文字列で構成される記番号の全桁で読取不良が発生したことを示している。
【００７６】
出金時に読み取られた記番号のうち第３行目の例は、第６桁目〜第９桁目の文字の読取不良が発生したことを示している。また、第６桁〜第９桁目以外の桁の文字は、入金時に読み取られた記番号の文字と一致している。すなわち、入金時に読み取られた記番号は、入金時に読み取られた記番号に対して、文字の桁ずれを起こしていない。
【００７７】
出金時に読み取られた記番号のうち第４行目の例は、第４桁目と第１０桁目の文字の読取不良が発生したことを示している。また、第１桁〜第３桁目以外の桁の文字は、入金時に読み取られた記番号と一致していない。ただし、第５桁目〜第９桁目の文字はそれぞれ、入金時に読み取られた記番号の第６桁目〜第１０桁目の文字と一致している。
【００７８】
すなわち、出金時に読み取られた第５桁目〜第９桁目の記番号の文字が、入金時に読み取られた記番号に対して、桁ずれを起こしている。
【００７９】
実施の形態１に係る紙葉類処理装置１では、出金処理において、出金時に読み取られた記番号と一致度合いに関する所定の関係を有する記番号が、入金時に読み取られた記番号が格納されている収納テーブルの中から検索される。そして、出金時に読み取られた記番号は、検索の結果発見された記番号を用いた補正処理が施される。これにより、識別部１６において読み取れなかった記番号の補正を行っている。例えば、補正処理は、出金時に読み取られた記番号を、検索の結果発見された記番号で置き換える処理であってもよい。
【００８０】
ここで、所定の関係は、必要に応じて適宜設定される。例えば、所定の関係とは、出金時に読み取られた記番号と入金時に読み取られた記番号とが完全に一致している関係であってもよい。また、所定の関係とは、出金時に読み取られた記番号と入金時に読み取られた記番号とが完全に一致していなくても、部分的に一致している関係であってもよい。
【００８１】
本実施の形態では、所定の関係とは、出金時に読み取られた記番号と入金時に読み取られた記番号とが所定数以上共通する桁を有していること、または、出金時に読み取られた記番号と入金時に読み取られた記番号とが同じ順序で並ぶ所定数以上の文字列を有していることである。
【００８２】
次に、実施の形態１に係る出金処理の流れの一例を示す図９を参照しながら、出金処理の流れについて説明する。以下、第１収納部２３に収納されている紙幣が出金される場合について説明する。第２収納部２４〜第６収納部２８に収納されている紙幣が出金される場合も同じ流れで出金処理を行うことができることは勿論である。
【００８３】
出金処理が開始されると、まず、繰出処理（ステップＳ１０）が実行され、第１収納部２３から紙幣が繰り出される。紙幣は、第１収納部２３に収納された順とは逆の順に繰り出される。例えば、最初に繰り出される紙幣は、第１収納部２３に最後に収納された紙幣であり、２番目に繰り出される紙幣は、第１収納部２３に最後から２番目に収納された紙幣である。繰り出された紙幣は、識別部１６に向けて搬送される。
【００８４】
繰出処理に引き続き、読取処理（ステップＳ２０）が実行され、識別部１６で紙幣に付された記番号が読み取られる。なお、読取処理では、紙幣の金種、正損及び真偽などの情報も読み取られる。
【００８５】
読取処理（ステップＳ２０）が終了すると、読取処理において読み取れなかった記番号の桁数がＮ桁以上であるか否かが判定される（ステップＳ３０）。Ｎの値は、例えば、「４」に設定される。Ｎの値は、紙幣の種類または紙幣が収納されている収納部ごとに設定されるようにしてもよい。なお、以下では、Ｎを「４」に設定したものとして説明を行う。
【００８６】
読取処理において読み取れなかった記番号の桁数が４桁以上である場合（ステップＳ３０においてＹｅｓの場合）、一時保留処理（ステップＳ１００）が実行される。一時保留処理については、後述する。読取処理において読み取れなかった記番号の桁数が４桁よりも少ない場合（ステップＳ３０においてＮｏの場合）、検索処理（ステップＳ４０）が実行される。
【００８７】
検索処理とは、読取処理（ステップＳ２０）において読み取られた記番号と一致度合いに関する所定の関係を有する記番号を、第１収納テーブルに格納されている記番号から検索する処理である。
【００８８】
ここで、図１０を用いて検索処理について説明する。図１０は、実施の形態１に係る検索処理について説明する図である。
【００８９】
図１０中の４０は、読取処理（ステップＳ２０）で読み取られた紙幣の記番号が繰出順に並べられたテーブルである。
【００９０】
図１０中の４１は、第１収納テーブルである。第１収納テーブル４１は、入金処理において第１収納部２３に収納された紙幣に付された記番号が格納されている記番号リストである。
【００９１】
第１収納テーブル４１に格納されている記番号の順序は、第１収納部２３に収納された紙幣の順序に対応している。つまり、先に収納された紙幣に付されている記番号が、下側に格納され、後に収納された紙幣に付されている記番号が、上側に格納されている。図１０に示される第１収納テーブル４１は、第１収納部２３に２８枚の紙幣が収納されており、２８枚目の紙幣に付されている記番号が「Ａ１２３４５６７８９」であることを示している。
【００９２】
図１０中の４８は、出金された紙幣の記番号を格納する出金テーブルである。出金テーブル４８に格納される記番号は、出金時に読み取られた記番号または出金時に読み取られた記番号が第１収納テーブル４１に格納されている記番号を用いて補正された記番号である。
【００９３】
検索処理では、第１収納テーブル４１の全体が検索範囲に設定されてもよいが、第１収納テーブル４１の全体ではなく所定範囲が検索範囲に設定されてもよい。所定範囲とは、検索目的の記番号が含まれている可能性が高い範囲である。所定範囲は、具体的には、次のように設定される。
【００９４】
まず、紙幣の繰出順から、検索対象の記番号が付された紙幣の第１収納部２３への収納の順番が割り出される。例えば、７番目に繰り出された紙幣の第１収納部２３への収納の順番は２２番目であるということが割り出される。
【００９５】
続いて、割り出された順番に収納された紙幣と、当該順番よりも後に収納された所定枚数の紙幣（以下、「第１範囲の紙幣」）と、当該順番よりも前に収納された所定枚数の紙幣（以下、「第２範囲の紙幣」）とに付されている各記番号が、所定範囲に設定される。例えば、２２番目に収納された紙幣と、２２番目よりも後に収納された４枚の紙幣（２３〜２６番目に収納された紙幣）と、２２番目よりも前に収納された１５枚の紙幣（２１〜７番目に収納された紙幣）とが、所定範囲とされる。
【００９６】
このように検索範囲を設定することにより、次のような利点を得ることができる。第１に、第１収納テーブル４１の全体を検索する必要がなくなるので、検索目的の記番号をより短時間で効率的に見つけることが可能となる。
【００９７】
第２に、所定範囲に第１範囲の紙幣に付された各記番号が含まれているので、後に収納された紙幣が先に収納された紙幣よりも後に繰り出されるという搬送エラーが生じた場合にも、検索目的の記番号を見つけることができる。例えば、６番目に繰り出されるはずの記番号「Ｆ６７８９１２３４５」が付されている紙幣が、順序が入れ替わって７番目に繰り出された場合を考える。この場合、２２番目よりも後（具体的には２３番目）に収納された紙幣に付されている記番号も検索範囲に含まれているので、検索目的の記番号「Ｆ６７８９１２３４５」を見つけることができる。
【００９８】
第３に、所定範囲に第２範囲の紙幣に付された記番号が含まれているので、複数枚の紙幣が重なった状態で繰り出されるという搬送エラー、いわゆる重送エラーが生じた場合にも、検索目的の記番号を見つけることができる。例えば、６番目に繰り出されるはずの紙幣と７番目に繰り出されるはずの紙幣が重なった状態で繰り出された場合を考える。この場合、見かけ上、７番目に繰り出される紙幣は、本来８番目に繰り出されるはずであった記番号「Ｈ８９１２３４５６７」が付されている紙幣となる。このような現象が生じても、２２番目よりも前（具体的には２１番目）に収納された紙幣に付されている記番号も検索範囲に含まれているので、検索目的の記番号「Ｈ８９１２３４５６７」を見つけることができる。
【００９９】
なお、重送エラーが生じると、その影響は、当該重送エラーよりも後に繰り出される紙幣の繰出順に影響を与え続ける。さらに、重送エラーの影響は累積する。よって、第１範囲の紙幣の枚数よりも第２範囲の紙幣の枚数を大きくすることが好ましい。ただし、第１範囲の紙幣の枚数と第２範囲の紙幣の枚数を等しくしても良いことは勿論である。
【０１００】
なお、検索範囲は、上述した範囲に限定されるものではなく、適宜設定されるようにしてもよい。検索の効率化が重要視されない場合は、第１収納テーブル４１の全体を検索範囲に設定することで、検索エラーを低減することができる。
【０１０１】
さらに、検索処理では、第１収納テーブル４１の検索順序が設定されてもよい。例えば、第１収納テーブル４１の記番号のうち、紙幣の繰出順に対応する収納順の記番号を最初に検索する。次に、第１の範囲のうち、収納順が、紙幣の繰出順に対応する収納順に近い記番号から順に検索する。次に、第２の範囲のうち、収納順が、紙幣の繰出順に対応する収納順に近い記番号から順に検索する。これにより、一致度合いが所定の関係を有する記番号が見つかった時点で、以降の検索を省略することができる。または、すべての検索範囲について検索し、一致度合いが同等の複数の記番号が見つかった場合は、検索順序に基づいて、対応する記番号を決定してもよい。
【０１０２】
図９の説明にもどる。検索処理（ステップＳ４０）を実行した結果、読取処理において読み取られた記番号と一致度合いに関する所定の関係を有する記番号が発見されたか否かが判定される（ステップＳ５０）。
【０１０３】
例えば、図１０において、繰出順「１」の記番号は、６桁目が読取不良となっているが、他の桁は、第１収納テーブル４１の収納順「２８」の記番号と一致する。この場合、出金時に読み取られた記番号と、第１収納テーブル４１の収納順「２８」に格納された記番号は一致度合いに関する所定の関係を有すると判定される。
【０１０４】
図９の説明に戻る。第１収納テーブル４１に格納された記番号から一致度合いに関する所定の関係を有する記番号が発見された場合（ステップＳ５０においてＹｅｓの場合）、置換処理（ステップＳ６０）が実行される。置換処理とは、補正処理の一例であり、読取処理（ステップＳ２０）で読み取られた記番号を第１収納テーブル４１から検索された記番号と置き換える処理である。また、置換処理では、置き換えられた記番号が出金テーブル４８に格納される。補正処理は、記番号の桁ごとに置き換える必要があるか判断する処理でもよい。例えば、読取処理（ステップＳ２０）で読み取られた記番号と第１収納テーブル４１から検索された記番号の異なる桁のみを置き換える処理でもよい。また、第１収納テーブル４１から検索された記番号が、正常に読み取れなかった文字「？」を含んでおり、読取処理（ステップＳ２０）で読み取られた記番号の対応する桁が正常に読み取られた場合は、置き換えをしないようにしてもよい。
【０１０５】
置換処理（ステップＳ６０）が終了すると、第１収納部２３からの紙幣の繰り出しが終了したか否か判定される（ステップＳ７０）。第１収納部２３からの紙幣の繰り出しが終了したと判定された場合（ステップＳ７０においてＹｅｓの場合）、出金処理は終了する。
【０１０６】
第１収納テーブル４１に格納された記番号から一致度合いに関する所定の関係を有する記番号が発見されなかった場合（ステップＳ５０においてＮｏの場合）、桁ずれ検索処理（ステップＳ８０）が実行される。
【０１０７】
桁ずれ検索処理とは、読取処理（ステップＳ２０）で読み取られた記番号と同じ順序の所定桁以上の文字列を有する記番号を、第１収納テーブル４１に格納されている記番号から検索する処理である。所定桁は、任意の桁数に設定することができ、例えば６桁である。所定桁以上の連続する共通の文字列を有する２つの記番号は、一致度合いに関する所定の関係性を有する。
【０１０８】
桁ずれ検索処理（ステップＳ８０）では、読み取りができなかった文字を除いて検索を実行する。例えば、図１０において、繰出順「７」の紙幣の記番号は、第４桁目と第１０桁目の文字の読取不良が発生している。
【０１０９】
この場合、第４桁目の「？」と第１０桁目の「？」を除いた文字列を用いて検索を実行する。すなわち、「Ｇ７８２３４５６」の８文字がこの順序で含まれる記番号が検索される。
【０１１０】
第１収納テーブル４１の収納順２２番目の記番号は、第４桁目と第５桁目に異なる文字が含まれているが、「Ｇ７８２３４５６」の８文字がこの順序で含まれている。よって、第１収納テーブル４１の収納順２２番目の記番号が検索される。
【０１１１】
このような処理により、桁ずれを起こして読み取られた記番号と一致度合いに関する所定の関係を有する記番号を第１収納テーブル４１から発見することができる。
【０１１２】
次に、桁ずれ検索処理（ステップＳ８０）において、一致度合いに関する所定の関係を有する記番号が発見されたか否かが判定される（ステップＳ９０）。
【０１１３】
桁ずれ検索処理において一致度合いに関する所定の関係を有する記番号が発見された場合（ステップＳ９０においてＹｅｓの場合）、置換処理（ステップＳ６０）が実行される。
【０１１４】
桁ずれ検索処理において、一致度合いに関する所定の関係を有する記番号が発見されなかった場合（ステップＳ９０においてＮｏの場合）、一時保留処理（ステップＳ１００）が実行される。
【０１１５】
一時保留処理（ステップＳ１００）は、読取処理（ステップＳ２０）において読み取れなかった記番号の桁数が４桁以上である場合、または、桁ずれ検索処理において、一致度合いに関する所定の関係を有する記番号が発見されなかった場合に実行する処理である。
【０１１６】
一時保留処理（ステップＳ１００）は、読み取り処理において４桁以上の文字が読み取られなかった記番号を有する紙幣、または、桁ずれ検索処理において一致度合いに関する所定の関係を有する記番号が発見されなかった記番号を有する紙幣を、一時保留部１９に搬送する処理である。同時に、その紙幣の記番号を、一時保留テーブル（不図示）に格納する。
【０１１７】
例えば、図１０において、繰出順「２」の紙幣は、読み取り処理において４桁以上の文字が読み取られなかったので、出金はされずに一時保留部１９に搬送される。また、その紙幣の記番号として、「？？？？？？？？？？」が、一時保留テーブルに格納される。
【０１１８】
また、図１０において、繰出順「１１」の紙幣も同様である。
【０１１９】
一時保留処理（ステップＳ１００）が終了すると、第１収納部２３から紙幣の繰り出しが終了したか否かが判定される（ステップＳ１１０）。第１収納部２３からの紙幣の繰り出しが終了していないと判定された場合（ステップＳ１１０においてＮｏの場合）、再び、繰出処理（ステップＳ１０）以降の処理が実行される。
【０１２０】
第１収納部２３からの紙幣の繰り出しが終了したと判定された場合（ステップＳ１１０においてＹｅｓの場合）、位置検索処理（ステップＳ１２０）が実行される。
【０１２１】
位置検索処理（ステップＳ１２０）は、読取処理で読み取られた第１の記番号と一致度合いに関する所定の関係を有する記番号が、第１収納テーブル４１の記番号リストにない場合の処理である。位置検索処理では、読取処理で読み取られた、第１の記番号とは異なる第２の記番号を利用する。第２の記番号と一致度合いに関する所定の関係を有する記番号を、第１収納テーブル４１の記番号リストから検索する。検索したリスト中の記番号を参照して、第１の記番号を記番号リスト中の記番号に対応させる。
【０１２２】
位置検索処理の一例として、一時保留処理により一時保留部１９に搬送された紙幣の前後に繰り出された紙幣の記番号が出金テーブル４８から特定され、さらに、第１収納テーブル４１において当該特定された記番号に挟まれた記番号が検索される。
【０１２３】
例えば、繰出順「２」の第１の紙幣の前後に繰り出された第２の紙幣の記番号は、出金テーブル４８の繰出順「１」の記番号「Ａ１２３４５６７８９」と繰出順「３」の記番号「Ｃ３４５６７８９１２」であると特定される。さらに、第１収納テーブル４１においてこれらの記番号に挟まれた記番号を検索すると、収納順「２７」の記番号「Ｂ２３４５６７８９１」が特定される。
【０１２４】
また、繰出順「１１」の第１の紙幣の前後に繰り出された第２紙幣の記番号は、出金テーブル４８の繰出順「１０」の記番号「Ｊ１２３４５６７８９」と繰出順「１２」の記番号「Ｍ４５６７８９１２３」であると特定される。さらに、第１収納テーブル４１においてこれらの記番号に挟まれた記番号を検索すると、収納順「１７」の記番号「Ｌ３４５６７８９１２」および収納順「１８」の記番号「Ｋ２３４５６７８９１」が特定される。
【０１２５】
この場合、繰出順「１１」の紙幣は、重なった状態で繰り出され、一時保留部１９に収納された２枚の紙幣である。
【０１２６】
図９の説明に戻る。位置検索処理（ステップＳ１２０）が終了すると、補正処理としての置換処理（ステップＳ１３０）が実行される。置換処理（ステップＳ１３０）では、一時保留テーブルに格納された記番号が位置検索処理（ステップＳ１２０）において特定された記番号で置き換えられる。
【０１２７】
例えば、図１０において、繰出順「２」の紙幣の記番号「？？？？？？？？？？」が「Ｂ２３４５６７８９１」で置き換えられ、繰出順「１１」の紙幣の記番号「？？？？？？？？？？」が「Ｌ３４５６７８９１２」で置き換えられ、さらに記番号「Ｋ２３４５６７８９１」が一時保留テーブルに追加される。
【０１２８】
置換処理が終了すると、出金処理が終了する。このとき、一時保留部１９に収納された紙幣を、第１収納部２３に戻してもよい。
【０１２９】
以上説明したように、実施の形態１では、出金処理において識別部１６で読み取られた記番号と一致度合いに関する所定の関係を有する記番号が第１収納テーブル４１に格納された記番号の中から検索される。
【０１３０】
したがって、出金時に繰り出される紙幣の順番が入金時の順番と入れ替わったとしても、出金される紙幣を特定することができる。
【０１３１】
また、実施の形態１では、記番号を構成する１０桁の文字列のうち６桁以上の文字列が読み取られた場合に、第１収納テーブル４１に格納されている記番号から当該読み取られた記番号と一致度合いに関する所定の関係を有する記番号を検索するようにした。したがって、第１収納テーブル４１に格納された記番号の中から一致する記番号を迅速に検索することができる。
【０１３２】
また、実施の形態１では、記番号を構成する１０桁の文字列のうち４桁以上の文字を読み取れなかった場合、当該記番号は、前後に繰り出された紙幣の記番号から特定される。したがって、紙幣が複数枚重なった状態で繰り出された場合であっても、これらの紙幣の記番号を特定することができる。
【０１３３】
なお、上述した処理は、他の収納部からの紙幣を出金する出金処理において行われてもよい。
【０１３４】
例えば、着脱式収納部４から紙幣を出金する際に、図９を用いて説明した出金処理を行ってもよい。この場合、着脱式収納部４は、出金処理が実行される紙葉類処理装置１とは別の、例えば、入金装置に取り付けられ、紙幣の収納が行われる。着脱式収納部４に紙幣が収納される際、入金装置の識別装置は、紙幣の記番号を読み取る。
【０１３５】
また、着脱式収納部４は、メモリなどの記憶部を有し、入金装置で読み取られた記番号は、着脱式収納部４の記憶部に記憶された収納テーブルに格納される。
【０１３６】
着脱式収納部４が入金装置から取り外され、紙葉類処理装置１の取付部５に取り付けられると、着脱式収納部４の記憶部に記憶された収納テーブルのデータは、紙葉類処理装置１の記憶部に送られる。
【０１３７】
出金処理では、着脱式収納部４から送られてきた収納テーブルに格納された記番号の中から一致度合いに関する所定の関係を有する記番号が検索される。
【０１３８】
なお、着脱式収納部４から収納テーブルに格納された記番号のデータを紙葉類処理装置１に送ることは必須ではなく、着脱式収納部４の記憶部に記憶された収納テーブルに格納された記番号の中から一致度合いに関する所定の関係を有する記番号を検索するようにしてもよい。この場合、紙葉類処理装置１に記憶部を設けなくてもよい。
【０１３９】
また、着脱式収納部４に記憶部を設けることは必須ではなく、例えば、入金装置で読み取られた記番号は、サーバ上に設けられた収納テーブルに格納されるようにしてもよい。この場合、出金時は、サーバ上に設けられた収納テーブルに格納された記番号の中から一致度合いに関する所定の関係を有する記番号を検索するようにしてもよい。
【０１４０】
また、実施の形態１では、出金処理時を例に記番号を補正する処理について説明した。しかし、記番号を補正する処理は、出金処理時以外の処理において実行されるようにしてもよい。
【０１４１】
例えば、一保入金処理における収納処理において、一時保留部１９から紙幣を繰り出す際に読み取られた記番号を、一時保留部１９に紙幣を収納する際に読み取られた記番号を用いて補正するようにしてもよい。
【０１４２】
また、精査処理における二次搬送を実行する場合、二次搬送の際に読み取られた記番号を、一次搬送の際に読み取られた記番号を用いて補正するようにしてもよい。
【０１４３】
また、回収処理を実行する場合、回収処理時に読み取られた記番号を、入金処理時に読み取られた記番号を用いて補正するようにしてもよい。
【０１４４】
（実施の形態２）
実施の形態２の紙葉類処理装置１は、実施の形態１の紙葉類処理装置１と同様の特徴を有する。すなわち、実施の形態２では、出金処理において、出金時に読み取られた記番号と一致度合いに関する所定の関係を有する記番号が入金時に読み取られた記番号が格納されている収納テーブルの中から検索され、出金時に読み取られた記番号が、入金時に読み取られた記番号を用いて補正される。
【０１４５】
実施の形態２の紙葉類処理装置１は、さらに、出金処理では、紙幣の正損および真偽の識別は行わずに、入金時に読み取られた紙幣の正損および真偽の情報がそのまま利用される。
【０１４６】
図１１および図１２を用いて、実施の形態２の入金処理について説明する。なお、実施の形態２の紙葉類処理装置１で実行される入金処理における記番号に関する処理は、実施の形態１の紙葉類処理装置１で実行される処理と同じであるため、説明を省略する。
【０１４７】
図１１は、実施の形態２に係る第１収納テーブル４１〜第６収納テーブルの何れかの収納テーブルの一例を示すである。
【０１４８】
収納テーブル５０には、各収納部に紙幣が収納される順に、金種、記番号、カテゴリ、真偽、正損要因などの情報が格納される。
【０１４９】
図１１中、ＵＳＤは米ドルを示し、図１１は、収納部に同一金種の紙幣が収納されていることを示している。図１１中、カテゴリは、紙幣が偽券、真偽不確定券、真券の正券、または、真券の損券のうち、何れの紙幣であるかを示す。例えば、４Ａは真券の正券を示し、４Ｂは真券の損券を示している。
【０１５０】
また、図１１中、正損要因は、紙幣が正券であるか、または、損券であるかを示す情報である。また、紙幣が損券である場合は、どのような理由により損券となっているかを示す情報である。例えば、要因１は、紙幣の汚れ、要因２は、紙幣の破れ、要因３は、紙幣の一部の欠損を示している。
【０１５１】
図１２は、実施の形態２に係る出金テーブルの一例について説明する図である。出金テーブル５１には、紙幣が出金される順に、金種、記番号、カテゴリ、真偽、正損要因などの紙幣情報が格納される。
【０１５２】
出金処理では、収納部から紙幣が繰り出され、繰り出された紙幣は識別部１６に向けて搬送される。識別部１６は、搬送されてきた紙幣の紙幣情報を識別する。このとき、識別部１６は、少なくとも、金種および記番号の識別を行う。
【０１５３】
識別部１６で読み取られた金種は、出金テーブル５１に格納される。また、読み取られた記番号は、実施の形態１と同様、入金時に読み取られた記番号を用いて補正される。
【０１５４】
また、カテゴリ、真偽要因、正損要因については、入金時に読み取られた記番号とともに記憶されている情報が、収納テーブル５０に格納される。
【０１５５】
これにより、出金時の識別処理の負荷を軽減し、迅速に出金処理をおこなうことができる。
【０１５６】
なお、出金処理で、識別部１６は、金種および記番号の識別とともに、真偽や正損の識別もおこなってもよい。入金時に読み取られた紙幣の正損または真偽の情報と、出金時に読み取られた紙幣の正損または真偽の情報とを比較し、相違の程度が所定の条件を満たす場合は、出金時に読み取られた紙幣の正損または真偽の情報を出金テーブル５１に格納してもよい。これにより、例えば、搬送中に破損した紙幣を出金してしまうことを防止できる。
【０１５７】
なお、実施の形態２では、出金時に行われる処理について説明したが、実施の形態１と同様、紙葉類処理装置１の各種処理において実行されるようにしてもよい。
【産業上の利用可能性】
【０１５８】
本発明は、紙葉類処理装置および紙葉類処理方法に広く利用可能である。
【符号の説明】
【０１５９】
１  紙葉類処理装置
４  着脱式収納部
５  取付部
１０  上側筐体
１２  入金部
１３  出金部
１４  第２出金部
１５  搬送部
１５０  ループ状搬送路
１５１  第１分岐路
１５２  第２分岐路
１５３  第３分岐路
１５４  第４分岐路
１５５  第５分岐路
１５６  第６分岐路
１６  識別部
１８  制御部
１９  一時保留部
２０  下側筐体
２１  第１収納庫
２３  第１収納部
２４  第２収納部
２５  第３収納部
２６  第４収納部
２７  第５収納部
２８  第６収納部
３０  第２収納庫
４０  テーブル
４１  第１収納テーブル
４８  出金テーブル
５０  収納テーブル
５１  出金テーブル
【図１】
2020004034.tif 000003
【図２】
2020004034.tif 000004
【図３】
2020004034.tif 000005
【図４】
2020004034.tif 000006
【図５】
2020004034.tif 000007
【図６】
2020004034.tif 000008
【図７】
2020004034.tif 000009
【図８】
2020004034.tif 000010
【図９】
2020004034.tif 000011
【図１０】
2020004034.tif 000012
【図１１】
2020004034.tif 000013
【図１２】
2020004034.tif 000014